(57)【要約】【課題】燃料電池が発電するために必要な酸素を、燃料電池に確実に供給することができるようにする。【解決手段】カメラ１には、筺体の正面１−１の中央の近傍であって、ユーザにより保持される部分（グリップ部）とは異なる位置、即ち、鏡筒１４の近傍に、電池室１８の内部の空間を筺体の外部に連通する空気穴１５が配置され、また、空気穴１５に対して鏡筒１４が配置されている側とは反対側に、空気穴ガード１６としての凸凹部が形成される。これにより、ユーザが、カメラ１をユーザ自身の手で保持して、被写体を撮影する場合であっても、空気穴１５が、ユーザの手で塞がれることが防止され、電池室１８に収納されている燃料電池に酸素（空気）が常に供給され、燃料電池は、十分な発電量を維持することが可能になる。本発明は、カメラに適用可能である。【選択図】      図１
2005017327.tif 000002
【特許請求の範囲】
【請求項１】
燃料電池を電源とする電子機器において、
前記燃料電池を収容する電池室と、
前記電子機器の筺体の所定の面の中央の近傍であって、ユーザにより保持される部分とは異なる位置に配置される、前記電池室の内部の空間を前記筺体の外部に連通する開口部と
を備えることを特徴とする電子機器。
【請求項２】
前記電子機器は、撮影レンズ鏡筒を、前記筺体の前記開口部が配置される前記面側に、取り付け可能、または一体で有するカメラであり、
前記開口部を、前記撮影レンズ鏡筒の近傍に配置する
ことを特徴とする請求項１に記載の電子機器。
【請求項３】
前記開口部が配置される前記筺体の前記面には、前記開口部の近傍であって、前記開口部に対して前記撮影レンズ鏡筒が配置されている側とは反対側に、凸部、または、凹部が形成される
ことを特徴とする請求項２に記載の電子機器。
【請求項４】
燃料電池を収容する電池室と、
他の装置と接続する接続部と、
電子機器の筺体の面のうちの、前記接続部の近傍にある面に配置される、前記電池室の内部の空間を前記筺体の外部に連通する開口部と
を備え、
前記開口部が配置される前記面は、前記接続部に前記他の装置が接続された場合、前記他の装置と対向し、かつ、接しない面である
ことを特徴とする電子機器。
【請求項５】
前記開口部が配置される前記面は、前記他の装置に前記接続部を接続した状態において、前記他の装置から所定の距離だけ離間している
ことを特徴とする請求項４に記載の電子機器。
【請求項６】
前記電子機器は、前記燃料電池を電源とするカメラであり、
前記他の装置は、前記カメラに所定の機能を付加する前記カメラの補助装置である
ことを特徴とする請求項４または５に記載の電子機器。
【請求項７】
前記他の装置は、カメラであり、
前記電子機器は、前記カメラに所定の機能を付加する前記カメラの補助装置である
ことを特徴とする請求項４または５に記載の電子機器。
【請求項８】
前記電子機器は、前記電池室に収納された前記燃料電池から前記カメラに対して電力を供給する電力供給手段をさらに備える
ことを特徴とする請求項７に記載の電子機器。
【請求項９】
燃料電池を収容する電池室と、前記電池室の内部の空間を他の装置の筺体の外部に連通する開口部とを備える前記他の装置を、接続する接続部と、
電子機器の筺体の面のうちの、前記接続部に前記他の装置が接続される場合に前記開口部と対向する面の近傍に配置される、前記開口部と対向する面より突出した凸部と
を備え、
前記接続部を、前記凸部に配置する
ことを特徴とする電子機器。
【請求項１０】
前記電子機器は、カメラであり、
前記他の装置は、前記カメラに所定の機能を付加する前記カメラの補助装置である
ことを特徴とする請求項９に記載の電子機器。
【請求項１１】
第１の燃料電池を収納する第１の電池室と、
前記第１の電池室の内部の空間を、電子機器の筺体の外部に連通する第１の開口部と、
第２の燃料電池を収容する第２の電池室と、前記第２の電池室の内部の空間を他の装置の筺体の外部に連通する第２の開口部とを備える前記他の装置を、接続する接続部と
を備え、
前記第１の開口部を、前記接続部に前記他の装置が接続される場合に前記他の装置と接しない位置であり、かつ、前記第２の開口部と対向する位置に配置する
ことを特徴とする電子機器。
【請求項１２】
前記電子機器は、カメラであり、
前記他の装置は、前記カメラに所定の機能を付加する前記カメラの補助装置である
ことを特徴とする請求項１１に記載の電子機器。
【請求項１３】
燃料電池を収納可能な電池室と、撮影レンズ鏡筒を装着可能または一体で有するカメラであって、
前記電池室と前記撮影レンズ鏡筒との間に、前記電池室内の前記燃料電池と外気との接触を可能にせしめる開口部を有する
ことを特徴とするカメラ。
【発明の詳細な説明】
【０００１】
【発明の属する技術分野】
本発明は、電子機器およびカメラに関し、特に、電子機器またはカメラの電源として燃料電池が利用される場合、燃料電池が発電するために必要な酸素を燃料電池に確実に供給することができるようにした電子機器およびカメラに関する。
【０００２】
【従来の技術】
近年、携帯電話機やカメラ等に代表される電子機器の小型化および高機能化が進み、電子機器の電源となる電池に対しても、これまで以上の小型化および高機能化が要求されている。
【０００３】
そのような要求を満たす電池として、リチウムイオン電池等の従来利用されている電池と比較してエネルギー密度の濃い小型の燃料電池が、最近注目を集めており、その燃料電池を電源とする電子機器の商品化の研究および開発が行われている。
【０００４】
なお、このように、燃料電池を電源とする電子機器については、いまだ研究および開発の段階であり、このため、適切な先行技術文献が存在しない。
【０００５】
【発明が解決しようとする課題】
そのような燃料電池が発電するためには、十分な量の酸素が必要であり、そのため、空気中の酸素を燃料電池に供給することが考えられている。この場合、筺体の内部に収納された燃料電池に対して、筺体の外部の空気が十分に接触する必要がある。
【０００６】
ところで、ユーザは、小型の電子機器、例えば、カメラを利用する場合、その筺体を、ユーザ自身の手で保持したり、三脚等を接続して保持したりして利用する。即ち、小型の電子機器は、大型のテレビジョン受像機のように、所定の場所に常に固定されて（所定のものに所定の場所を保持されて）利用されるものではなく、様々なものに様々な場所が保持されて利用される。
【０００７】
また、ユーザは、小型の電子機器に対して、新たな機能を追加する、または機能を強化する補助装置を接続して、その電子機器を利用することがある。例えば、カメラの補助装置として、バッテリーとして機能する燃料電池を搭載する補助装置の利用が考えられている。
【０００８】
従って、燃料電池を電源とする電子機器の商品化のためには、電子機器の筺体がどのような状態で保持されても、また、どのような補助装置が電子機器に接続されても、電子機器の筺体の内部に収納された燃料電池に対して、空気が十分に接触することが可能な工夫が必要である。
【０００９】
しかしながら、そのような工夫として有効なものが、いまだ開発されていないという課題があった。
【００１０】
本発明は、このような状況に鑑みてなされたものであり、電子機器またはカメラの電源として燃料電池が利用される場合、燃料電池が発電するために必要な酸素を燃料電池に確実に供給することができるようにするものである。
【００１１】
【課題を解決するための手段】
本発明の第１の電子機器は、電源となる燃料電池を収容する電池室と、第１の電子機器の筺体の所定の面の中央の近傍であって、ユーザにより保持される部分とは異なる位置に配置される、電池室の内部の空間を筺体の外部に連通する開口部とを備えることを特徴とする。
【００１２】
第１の電子機器は、撮影レンズ鏡筒を、筺体の開口部が配置される面側に、取り付け可能、または一体で有するカメラであり、開口部を、撮影レンズ鏡筒の近傍に配置するようにすることができる。
【００１３】
開口部が配置される筺体の面には、開口部の近傍であって、開口部に対して撮影レンズ鏡筒が配置されている側とは反対側に、凸部、または、凹部が形成されるようにすることができる。
【００１４】
本発明の第１の電子機器においては、その筺体の所定の面の中央の近傍であって、ユーザにより保持される部分とは異なる位置に、電源となる燃料電池を収容する電池室の内部の空間を筺体の外部に連通する開口部が配置される。
【００１５】
本発明の第２の電子機器は、燃料電池を収容する電池室と、他の装置と接続する接続部と、第２の電子機器の筺体の面のうちの、接続部の近傍にある面に配置される、電池室の内部の空間を筺体の外部に連通する開口部とを備え、開口部が配置される面は、接続部に他の装置が接続された場合、他の装置と対向し、かつ、接しない面であることを特徴とする。
【００１６】
開口部が配置される面は、他の装置に接続部を接続した状態において、他の装置から所定の距離だけ離間しているようにすることができる。
【００１７】
第２の電子機器は、燃料電池を電源とするカメラであり、他の装置は、カメラに所定の機能を付加するカメラの補助装置であるようにすることができる。
【００１８】
或いは、他の装置は、カメラであり、第２の電子機器は、カメラに所定の機能を付加するカメラの補助装置であるようにすることができる。この場合、第２の電子機器は、電池室に収納された燃料電池からカメラに対して電力を供給する電力供給手段をさらに設けるようにすることができる。
【００１９】
本発明の第２の電子機器においては、その筺体の面のうちの、他の装置と接続する接続部の近傍にある面であって、接続部に他の装置が接続された場合、他の装置と対向し、かつ、接しない面に、燃料電池を収容する電池室の内部の空間を筺体の外部に連通する開口部が配置される。
【００２０】
本発明の第３の電子機器は、燃料電池を収容する電池室と、電池室の内部の空間を他の装置の筺体の外部に連通する開口部とを備える他の装置を、接続する接続部と、第３の電子機器の筺体の面のうちの、接続部に他の装置が接続される場合に開口部と対向する面の近傍に配置される、開口部と対向する面より突出した凸部とを備え、接続部を、凸部に配置することを特徴とする。
【００２１】
第３の電子機器は、カメラであり、他の装置は、カメラに所定の機能を付加するカメラの補助装置であるようにすることができる。
【００２２】
本発明の第３の電子機器においては、燃料電池を収容する電池室と、電池室の内部の空間を他の装置の筺体の外部に連通する開口部とを備える他の装置を、接続する接続部が、第３の電子機器の筺体の面のうちの、接続部に他の装置が接続される場合に開口部と対向する面の近傍に配置される、開口部と対向する面より突出した凸部に配置される。
【００２３】
本発明の第４の電子機器は、第１の燃料電池を収納する第１の電池室と、第１の電池室の内部の空間を第４の電子機器の筺体の外部に連通する第１の開口部と、第２の燃料電池を収容する第２の電池室と、第２の電池室の内部の空間を他の装置の筺体の外部に連通する第２の開口部とを備える他の装置を、接続する接続部とを備え、第１の開口部を、接続部に他の装置が接続される場合に他の装置と接しない位置であり、かつ、第２の開口部と対向する位置に配置することを特徴とする。
【００２４】
第４の電子機器は、カメラであり、他の装置は、カメラに所定の機能を付加するカメラの補助装置であるようにすることができる。
【００２５】
本発明の第４の電子機器においては、第１の燃料電池を収納する第１の電池室と、第１の電池室の内部の空間を第４の電子機器の筺体の外部に連通する第１の開口部と、第２の燃料電池を収容する第２の電池室と、第２の電池室の内部の空間を他の装置の筺体の外部に連通する第２の開口部とを備える他の装置を、接続する接続部とが設けられ、第１の開口部が、接続部に他の装置が接続される場合に他の装置と接しない位置であり、かつ、第２の開口部と対向する位置に配置される。
【００２６】
本発明のカメラは、燃料電池を収納可能な電池室と、撮影レンズ鏡筒を装着可能または一体で有するカメラであって、電池室と撮影レンズ鏡筒との間に、電池室内の燃料電池と外気との接触を可能にせしめる開口部を有することを特徴とする。
【００２７】
本発明のカメラにおいては、燃料電池を収納可能な電池室と、撮影レンズ鏡筒との間に、電池室内の燃料電池と外気との接触を可能にせしめる開口部が設けられる。
【００２８】
【発明の実施の形態】
（第１実施形態）
図１は、本発明の第１実施形態が適用される電子機器としてのカメラの正面の外観の構成例を表しており、図２は、図１のカメラ１の下面の外観の構成例を表している。
【００２９】
図１に示されるように、カメラ１の筐体の側面１−６には、ユーザが被写体を撮影する場合に押下するレリーズボタン１１が設けられている。
【００３０】
なお、以下、カメラ１の筺体の正面１−１と略垂直な側面のうちの、レリーズボタン１１が配置される面１−６を上面と、その上面１−６と対向する面１−５を底面と、それぞれ称する。また、図１において、ここでは、例えば、カメラ１の筺体の底面１−５の法線方向のうちの、底面１−５から上面１−６に向かう方向が、上方向とされる。そのような上面、底面、および、上方向の関係については、特にことわりがない限り、他の図面（後述する他の実施形態）においても、同様とされる。
【００３１】
カメラ１の筺体の正面１−１には、その略中央の上方に、左から、ユーザが被写体を撮影する場合、フラッシュとして発光する発光部１２、および、ユーザが被写体を視認するためのファインダ１３が設けられており、それらの下方に、右から、被写体を撮影するための撮影レンズを有する鏡筒１４、燃料電池（例えば、後述する図５の燃料電池３１）を収納する電池室１８の内部の空間をカメラ１の筐体の外部に連通する空気穴１５、および、空気穴ガード１６が設けられており、その下方には、ユーザが電池室１８に収納される燃料電池を抜き差しする場合、開けられ、それ以外の場合、閉められる蓋１７が設けられている。
【００３２】
空気穴１５は、電池室１８に収納されている燃料電池が発電に利用する酸素（空気）を、カメラ１の筺体の外部から電池室１８の内部の空間（燃料電池）に取り込むために設けられている。
【００３３】
従って、ユーザが、カメラ１をユーザ自身の手で保持して、被写体を撮影する場合、ユーザの手で空気穴１５が塞がれることがあってはならない。そこで、カメラ１においては、図１に示されるように、空気穴１５が、筺体の正面１−１の略中央であって、鏡筒１４の近傍に配置されている。
【００３４】
即ち、ユーザが、カメラ１をユーザ自身の手で保持して、被写体を撮影する場合、筺体の正面１−１のうちの両端部が、ユーザの手により保持されることが多いので、カメラ１においては、空気穴１５が、そのユーザにより保持される両端部（以下、カメラ１の筺体の正面１−１の両端部のような、ユーザが被写体を撮影する場合に保持する部分を、グリップ部と称する）とは異なる位置に配置されている。
【００３５】
特に、本実施形態においては、空気穴１５が、電池室１８と鏡筒１４との間に形成されるので、ユーザの手指によって空気穴１５が塞がれる可能性は低い。
【００３６】
空気穴ガード１６は、筺体の正面１−１の空気穴１５とグリップ部との間に形成される凸部、または、凹部である。この例の空気穴ガード１６の詳細が、図３と図４に示されている。図３は、図１のカメラ１の筺体の正面１−１のうちの、空気穴１５と空気穴ガード１６の周辺の拡大図である。また、図４は、カメラ１の、図１のＡ−Ａ’部分の水平断面図（後述する図５）のうちの、空気穴１５と空気穴ガード１６の周辺の拡大図である。
【００３７】
図３と図４に示されるように、空気穴ガード１６が、カメラ１の筺体の正面１−１のうちの空気穴１５とグリップ部との間に、凸凹部として形成されているので、以下のような効果を奏することが可能になる。即ち、ユーザが、カメラ１をユーザ自身の手で保持して、被写体を撮影する場合、ファインダ１３（図１）を介して被写体を視認する状態が長く続く。そのような状態でも、ユーザは、空気穴１５の配置位置を視認することなく、ユーザ自身の手の感触で（空気穴ガード１６に触れることで）空気穴１５がその近傍に存在することを認識できるので、空気穴１５がユーザの手により塞がれることを確実に防止することが可能となる。
【００３８】
図５は、カメラ１の、図１のＡ−Ａ’部分の水平断面を表している。
【００３９】
図５において、カメラ１の筺体の背面１−１（正面１−１と対向する面１−２）の法線方向のうちの、背面１−１から正面１−２に向かう方向が、上方向とされた場合、カメラ１の筺体の内部には、左側（筺体の正面１−１と略垂直な側面のうちの、側面１−３側）に、上から順に、燃料電池３１を収納する上述した電池室１８、カメラ１の全体の動作を制御する回路を搭載する回路基板３３−１、および、カメラ１が撮影した画像のデータを記録するメモリカード３４が設けられており、さらに、メモリカード３４の下方の筺体の左側から右側にかけて、カメラ１の全体の動作を制御する回路を搭載する回路基板３３−２が設けられている。
【００４０】
カメラ１の筺体の側面１−３には、メモリカード蓋３８が設けられており、メモリカード蓋３８は、ユーザがメモリカード３４を抜き差しする場合、開けられ、それ以外の場合、閉められる。
【００４１】
カメラ１の筺体の内部にはまた、電池室１８と基板３３−１の右隣に、発光部１２（図１）を発光させるためのエネルギー（電荷）を蓄積するためのコンデンサ３２が設けられており、その右隣に、鏡筒１４が設けられている。鏡筒１４には、上から順に、レンズ１４−１、シャッタユニット１４−２、レンズ１４−３、および、レンズ１４−４が設けられている。
【００４２】
カメラ１の筺体の内部にはさらに、レンズ１４−４の下方に、上から順に、被写体を撮像する撮像素子であるＣＣＤ（Ｃｈａｒｇｅ  Ｃｏｕｐｌｅｄ  Ｄｅｖｉｃｅ）３７、上述した回路基板３３−２、および、カメラ１が撮影した（ＣＣＤ３７が撮像した）被写体の画像等の画像を表示するＬＣＤ（Ｌｉｑｕｉｄ  Ｃｒｙｓｔａｌ  Ｄｉｓｐｌａｙ）３５が設けられている。
【００４３】
カメラ１の筺体の背面１−２には、ＬＣＤ３５を保護するためのＬＣＤ窓３６が設けられており、ユーザは、このＬＣＤ窓３６を通してＬＣＤ３５に表示された画像を見ることができる。
【００４４】
カメラ１の筺体の正面１−１には、上述したように、鏡筒１４とグリップ部（図５中左方の端部）の間に、電池室１８の内部の空間をカメラ１の筐体の外部に連通する空気穴１５が設けられており、その左隣に、空気穴１５がその近傍にあることをユーザに知らせる（ユーザの手の感触で認識させる）空気穴ガード１６が設けられている。
【００４５】
なお、カメラ１の筺体は、筺体の側面１−３と側面１−４の略中央部を境にして、正面１−１側の前カバー１９と、背面１−２側の後カバー２０から構成されている。後カバー２０は、開閉可能とされている。
【００４６】
図６は、カメラ１の電気的な構成例を表すブロック図である。
【００４７】
図６に示されるように、カメラ１には、上述した電池室１８（図５）に収納された燃料電池３１を電源として、カメラ１の全体の動作を制御する主制御部５１が設けられている。
【００４８】
即ち、図示はしないが、主制御部５１には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等が設けられており、ＣＰＵが、ＲＯＭ等に記憶されているプログラムから、ＲＡＭにロードしたプログラムに従って、カメラ１の全体の動作を制御する。ＲＡＭにはまた、ＣＰＵが各種の処理を実行する上において必要なデータなどが適宜記憶される。
【００４９】
換言すると、主制御部５１は、後述する入力部５２より入力される信号に応じて、後述する画像処理部５３乃至フラッシュ部５９のそれぞれを制御する。
【００５０】
カメラ１にはまた、上述したレリーズボタン１１（図１）等からなる入力部５２、上述したＣＣＤ３７より供給される画像信号（ＣＣＤ３７により撮影され、アナログの信号に変換された画像信号）に対して所定の画像処理を施す画像処理部５３、並びに、シャッタユニット１４−２（図５）に含まれる、レリーズボタン１１が押下された場合、所定の露出時間の間、レンズ１４−１（図５）からの光を通すようにシャッタ（図示せず）を開放し、それ以外の場合、シャッタを閉めるシャッタモータ５４、レンズ１４−１に対する絞り（図示せず）の絞り量を調整するフォーカシングモータ５５、ズームを行うために鏡筒１４（図５）を伸縮させるズーミングモータ５６、および、ズーミングモータ５６を制御するためのズームエンコーダ５７が設けられている。
【００５１】
カメラ１にはさらに、上述したＬＣＤ３５を駆動するためのＬＣＤ駆動部５８、および、上述した発光部１４を含む、発光部１４を発光させるためのフラッシュ部５９が設けられている。
【００５２】
なお、この例においては、主制御部５１、画像処理部５３、および、ＬＣＤ駆動部５８に対応する回路のそれぞれは、例えば、上述した回路基板３３−１、または回路基板３３−２（図５）のうちのいずれか一方に搭載されている。ただし、フラッシュ部５９は、高電圧がかかる回路を有しているので、図示はしないが、回路基板３３−１、および回路基板３３−２とは異なる専用の回路に搭載される。
【００５３】
また、カメラ１の電源は、図６の例では、燃料電池３１のみとされるが、図６の例に限定されず、燃料電池３１と、リチウムイオン電池等の２次電池（図示せず）を併用してもよい。この場合、主制御部５１と、燃料電池３１および２次電池の間には、電源制御部（図示せず）が設けられる。電源制御部は、例えば、カメラ１の電源として、燃料電池または２次電池のうちのいずれか一方を選択する制御（スイッチング制御）を行ったり、燃料電池から２次電池に充電させ、２次電池をカメラ１の主電源とする制御を行ったりする。
【００５４】
以上説明したように、本発明の第１実施形態が適用されるカメラ１には、図１乃至図５に示されるように、燃料電池３１を収容する電池室１８と、筺体の正面１−１の中央の近傍であって、ユーザにより保持される部分（グリップ部）とは異なる位置に配置される、電池室１８の内部の空間を筺体の外部に連通する空気穴１５が設けられている。具体的には、空気穴１５は、鏡筒１４の近傍に配置されている。
【００５５】
これにより、ユーザが、カメラ１をユーザ自身の手で保持して、被写体を撮影する場合であっても、空気穴１５が、ユーザの手で塞がれることはなく、電池室１８に収納されている燃料電池３１に酸素（空気）が常に供給され、燃料電池３１は、十分な発電量を維持することが可能になる。従って、図６に示される主制御部５１乃至フラッシュ部５９のそれぞれは、常に動作が可能になる。
【００５６】
さらに、本発明の第１実施形態が適用されるカメラ１には、図１乃至図５に示されるように、筺体の正面１−１に、空気穴１５の近傍であって、空気穴１５に対して鏡筒１４が配置されている側とは反対側に、空気穴ガード１６が形成されるので、上述したように、以下のような効果を奏することが可能になる。
【００５７】
即ち、ユーザが、カメラ１をユーザ自身の手で保持して、被写体を撮影するために、ファインダ１３を介して被写体を視認しているような場合でも、ユーザは、空気穴１５の配置位置を視認することなく、ユーザ自身の手の感触で（空気穴ガード１６に触れることで）空気穴１５がその近傍に存在することを認識できるので、空気穴１５がユーザの手により塞がれることを確実に防止することが可能となる。従って、電池室１８に収納されている燃料電池３１に酸素（空気）が確実に供給され、燃料電池３１は、十分な発電量を維持することが可能になり、図６に示される主制御部５１乃至フラッシュ部５９のそれぞれは、常に動作が可能になる。
【００５８】
（第２実施形態）
図７は、本発明の第２実施形態が適用される電子機器としてのカメラの正面の外観の構成例を表しており、図８は、図７のカメラ１０１の下面の外観の構成例を表している。
【００５９】
図７と図８の例では、カメラ１０１の外観の構成は、第１実施形態のカメラ１（図１と図２）のそれと、基本的に同様とされている。即ち、図７に示されるレリーズボタン１１１乃至空気穴１１５、並びに、電池室１１８およびその蓋１１７のそれぞれは、図１に示されるレリーズボタン１１乃至電池室１８のうちの対応するものと同様の構成とされ、かつ、同様の位置に配置されている。
【００６０】
ただし、カメラ１０１においては、空気穴ガード１６（図１乃至図５）の代わりに、図８に示されるように、グリップ部１１６自身が、筺体の正面１０１−１より突出した凸部として形成されている。
【００６１】
また、カメラ１０１の電気的な構成も、この例においては、例えば、第１実施形態のカメラ１のそれと同様とされる。即ち、図６は、カメラ１０１の電気的な構成例も表すブロック図である。
【００６２】
以上説明したように、本発明の第２実施形態が適用されるカメラ１０１には、図７と図８に示されるように、燃料電池（図示せず。ただし、図５の燃料電池３１と同様のもの）を収容する電池室１１８と、筺体の正面１０１−１の中央の近傍であって、ユーザにより保持される部分（グリップ部１１６）とは異なる位置に配置される、電池室１１８の内部の空間を筺体の外部に連通する空気穴１１５が設けられている。具体的には、空気穴１１５は、鏡筒１１４の近傍に配置されている。
【００６３】
これにより、第１実施形態のカメラ１（図１乃至図５）と同様に、ユーザが、カメラ１０１をユーザ自身の手で保持して、被写体を撮影する場合であっても、空気穴１１５が、ユーザの手で塞がれることはなく、電池室１１６に収納されている燃料電池に酸素（空気）が常に供給され、燃料電池は、十分な発電量を維持することが可能になる。従って、図６に示される主制御部５１乃至フラッシュ部５９のそれぞれは、常に動作が可能になる。
【００６４】
さらに、本発明の第２実施形態が適用されるカメラ１０１には、図８に示されるように、筺体の正面１−１に、空気穴１５の近傍であって、空気穴１５に対して鏡筒１４が配置されている側とは反対側に、グリップ部１１６（正面１−１より突出した凸部）が形成されているので、空気穴１１５がユーザの手により塞がれることを確実に防止することが可能となる。従って、電池室１１８に収納されている燃料電池に酸素（空気）が確実に供給され、燃料電池は、十分な発電量を維持することが可能になり、図６に示される主制御部５１乃至フラッシュ部５９のそれぞれは、常に動作が可能になる。
【００６５】
（第３実施形態）
図９は、本発明の第３実施形態が適用される電子機器としてのカメラの正面の外観の構成例を表している。
【００６６】
図９に示されるように、カメラ２０１の筐体の上面２０１−２には、レリーズボタン２１１−１が設けられている。
【００６７】
カメラ１の筺体の正面１−１には、その略中央に、上から、撮影レンズ（図示せず）を有する着脱自在な鏡筒２１２、燃料電池（例えば、後述する図１０の燃料電池２２８）を収納する電池室２１４の内部の空間をカメラ２０１の筐体の外部に連通する空気穴２１３、および、ユーザがカメラ２０１を、その側面２０１−４を上面として撮影する場合にユーザが保持するグリップ部２１５（以下、そのような撮影位置を、縦位置と称し、縦位置におけるグリップ部を、縦位置グリップ部と称する）が設けられている。縦位置グリップ部２１５の左方の端部には、縦位置用のレリーズボタン２１１−２が設けられている。
【００６８】
図１０は、カメラ２０１の、図９のＡ−Ａ’部分の垂直断面を表している。
【００６９】
図１０に示されるように、カメラ２０１の筺体の内部には、上述した鏡筒２１２の右方に、メインミラー２２１−１とサブミラー２２１−２からなるミラーボックス２２１が設けられており、メインミラー２２１−１の上方に、スクリーン２２２が設けられ、さらにその上方に、ペンタプリズム２２３が設けられ、その右方に、接眼レンズ２２４が設けられている。ユーザは、鏡筒２１２に対向して位置する（撮影光軸２４１方向に位置する）被写体を撮影する場合、その被写体を、鏡筒２１２の撮影レンズ、メインミラー２２１−１、スクリーン２２２、およびペンタプリズム２２３を介して、接眼レンズ２２４により視認する。
【００７０】
カメラ２０１の筺体の内部にはまた、サブミラー２２１−２の下方に、オートフォーカスモジュール２２７が設けられ、サブミラー２２１−２の右方には、左から順に、被写体の画像を撮像する撮像素子であるＣＣＤ（Ｃｈａｒｇｅ  Ｃｏｕｐｌｅｄ  Ｄｅｖｉｃｅ）２２５、および、カメラ２０１の全体の動作を制御する回路が搭載された基板２２６が設けられている。
【００７１】
なお、上述したミラーボックス２２１乃至オートフォーカスモジュール２２７のそれぞれは、本発明とは直接関係がなく、かつ、当業者にとって理解が容易なものであるため、その詳細な説明は省略する。
【００７２】
カメラ２０１の筺体の内部にはさらに、オートフォーカスモジュール２２７の下方に、燃料電池２２８を収納する上述した電池室２１４が設けられている。
【００７３】
カメラ２０１の筐体の正面２０１−１には、鏡筒２１２の下方に（近傍に）、上述した空気穴２１３が設けられ、その下方に、上述した縦位置グリップ部２１５が設けられている。この縦位置グリップ部２１５は、第２実施形態のカメラ２０１のグリップ部１１６（図８）と同様に、正面２０１−１より突出した凸部として形成されている。
【００７４】
なお、カメラ２０１の電気的な構成は、この例においては、例えば、第１実施形態のカメラ１のそれと同様とされる。即ち、図６は、カメラ２０１の電気的な構成例も表すブロック図である。
【００７５】
以上説明したように、本発明の第３実施形態が適用されるカメラ２０１には、図９と図１０に示されるように、燃料電池２２８を収容する電池室２１４と、筺体の正面２０１−１の中央の近傍であって、ユーザにより保持される部分（縦位置グリップ部２１５、または、通常の撮影位置のグリップ部（図９中、正面２０１−１の両端部））とは異なる位置に配置される、電池室２１４の内部の空間を筺体の外部に連通する空気穴２１３が設けられている。具体的には、空気穴２１３は、鏡筒２１２の近傍（図１０中、鏡筒２１２の下方）に配置されている。
【００７６】
これにより、ユーザが、カメラ２０１をユーザ自身の手で保持して、被写体を撮影する場合、その撮影位置が、通常撮影位置（側面２０１−３が上面とされる位置）、および、縦位置（側面２０１−４が上面とされる位置）のうちのいずれの位置であっても、空気穴２１３が、ユーザの手で塞がれることはなく、電池室２１４に収納されている燃料電池２２８に酸素（空気）が常に供給され、燃料電池２２８は、十分な発電量を維持することが可能になる。従って、図６に示される主制御部５１乃至フラッシュ部５９のそれぞれは、常に動作が可能になる。
【００７７】
さらに、本発明の第３実施形態が適用されるカメラ２０１には、図９と図１０に示されるように、筺体の正面２０１−１に、空気穴２１３の近傍であって、空気穴２１３に対して鏡筒２１２が配置されている側（図１０中上側）とは反対側（図１０中下側）に、縦位置グリップ部２１５（正面２０１−１より突出した凸部）が形成されているので、第２実施形態のグリップ部１１６（図８）と同様に、ユーザが縦位置グリップ部２１５によりカメラ２０１を保持する場合、空気穴２１３がユーザの手により塞がれることを確実に防止することが可能となる。従って、電池室２１４に収納されている燃料電池２２８に酸素（空気）が確実に供給され、燃料電池は、十分な発電量を維持することが可能になり、図６に示される主制御部５１乃至フラッシュ部５９のそれぞれは、常に動作が可能になる。
【００７８】
（第４実施形態）
図１１は、本発明の第４実施形態が適用される電子機器としてのカメラの補助装置が、カメラに接続された場合の正面の外観の構成例を表している。
【００７９】
図１２は、図１１のカメラ３０１に接続された縦位置グリップ３０２のＡ−Ａ’部分の垂直断面図を表している。
【００８０】
図１１に示されるように、第４実施形態においては、第３実施形態のカメラ２０１（図９と図１０）の縦位置グリップ部２１５に相当する縦位置グリップ３０２が、カメラ３０１から着脱可能な構成とされている。
【００８１】
換言すると、図１１のカメラ３０１は、第３実施形態のカメラ２０１から縦位置グリップ部２１５が分離されたものである。従って、カメラ３０１の構成（外観、筐体の内部、および、電気的構成等）は、カメラ２０１のそれと基本的に同様とされるので、その説明は省略する。
【００８２】
ただし、燃料電池を収納する電池室は、後述する縦位置グリップ３０２に含まれることになるので、この例においては、カメラ３０１は、燃料電池とは別の電源（図示せず）を有し、後述するように、縦位置グリップ３０２が接続された場合のみ、縦位置グリップ３０２に収納された燃料電池を、その電源とすることが可能である。
【００８３】
本発明の第４実施形態が適用される縦位置グリップ３０２の構成も、上述した第３実施形態の縦位置グリップ部２１５（図９と図１０）と基本的に同様とされる。即ち、縦位置グリップ３０２には、図１１に示されるように、その筐体の正面３４６より突出した凸部の左端部に、縦位置用のレリーズボタン３２２が設けられており、図１２に示されるように、その筐体の内部には、燃料電池３４１を収納する電池室３２３が設けられている。
【００８４】
ただし、縦位置グリップ３０２は、上述したように、カメラ３０１に対して着脱自在とされている。従って、縦位置グリップ３０２には、図１１に示されるように、筺体の上面（具体的には、後述する図１２と図１３の接続面３４２）に、カメラ３０１と接続する接続部としての、位置決めピン３２４、三脚ねじ部３２５、および、フック３２６が設けられており、図１２に示されるように、これらの接続部（位置決めピン３２４、三脚ねじ部３２５、および、フック３２６）によりカメラ３０１と縦位置グリップ３０２が接続された場合、その接続面３４２（接続部が配置される面３４２）より下方に位置する面３４４に、電池室３２３の内部の空間を筺体の外部に連通する空気穴３２１が設けられている。
【００８５】
空気穴３２１と筐体の内部の間には、撥水シート３４３が設けられている。この撥水シート３４３は、筺体の内部にゴミや水分が浸入することを防止することを目的とした、通気性を有するシートであり、後述する他の実施形態においても、同様の目的で適宜設けられている。
【００８６】
このように、空気穴３２１は、接続部（位置決めピン３２４、三脚ねじ部３２５、および、フック３２６）にカメラ３０１が接続された場合（カメラ３０１の筺体の底面３０１−３と、縦位置グリップ３０２の接続面３４２が接している状態の場合）、カメラ３０１の底面３０１−３と対向し、かつ、接しない面３４４に配置されるので、カメラ３０１の底面３０１−３から所定の距離だけ離間する（図１２中、左方に隙間があく）。
【００８７】
従って、縦位置グリップ３０２がカメラ３０１に接続された状態でも、空気穴３２１がカメラ３０１によって塞がれることはなく、電池室３２３に収納されている燃料電池３４１に酸素（空気）が確実に供給され、燃料電池は、十分な発電量を維持することが可能になる。
【００８８】
図１３は、縦位置グリップ３０２の上面図である。
【００８９】
図１３において、ここでは、例えば、縦位置グリップ３０２の背面３４５の法線方向のうちの、背面３４５から凸部がある正面３４６の方向に向かう方向が、上方向とされる。
【００９０】
図１３に示されるように、縦位置グリップ３０２の接続面３４２には、その左方の端部に、上述したフック３２６が設けられており、その右方（レリーズボタン３２２が配置された方）の端部には、上から、電池室３２３に収納された燃料電池３４１（図１２）からカメラ３０１に電力を供給する電源供給信号ピン３５２、上述した位置決めピン３２４、および三脚ねじ部３２５、並びに、三脚ねじ回転操作部３５１が設けられている。
【００９１】
縦位置グリップ３０２にはまた、その上面の中央に（接続面３４２の間に）、上述した空気穴３２１が配置される面３４４が形成されている。換言すると、接続面３４５は、面３４４より突出した凸部として形成される。
【００９２】
以上説明したように、本発明の第４実施形態が適用される縦位置グリップ３０２には、図１１乃至図１３に示されるように、燃料電池３４１を収容する電池室３２３、カメラ３０１と接続する接続部としての位置決めピン３２４、三脚ねじ部３２５、および、フック３２６、並びに、筺体の面のうちの、その接続部（それが配置された接続面３４２）の近傍にある面３４４に配置される、電池室３２３の内部の空間を筺体の外部に連通する空気穴３２１が設けられ、図１２に示されるように、その空気穴３２１が配置される面３４４は、接続部にカメラ３０１が接続された場合、カメラ３０１の底面３０１−３と対向し、かつ、接しない面とされる。換言すると、図１２に示されるように、空気穴３２１が配置される面３４４は、カメラ３０１に接続部（位置決めピン３２４、三脚ねじ部３２５、および、フック３２６）を接続した状態において、カメラ３０１から所定の距離だけ離間している。
【００９３】
これにより、縦位置グリップ３０２がカメラ３０１に接続された状態でも、空気穴３２１がカメラ３０１によって塞がれることはなく、電池室３２３に収納されている燃料電池３４１に酸素（空気）が確実に供給され、燃料電池３４１は、十分な発電量を維持することが可能になる。従って、縦位置グリップ３０２がカメラ３０１に接続された場合、燃料電池３４１から電源供給信号ピン３５２を介してカメラ３０１に電力が確実に供給されるので、図６に示される主制御部５１乃至フラッシュ部５９のそれぞれは、常に動作が可能になる。
【００９４】
なお、縦位置グリップ３０２は、図１１と図１２のカメラ３０１のみならず、様々なカメラに接続可能である。
【００９５】
（第５実施形態）
図１４は、本発明の第５実施形態が適用される電子機器としてのカメラの補助装置が、カメラに接続された場合の正面の中央近傍の垂直断面を表している。
【００９６】
第５実施形態の縦位置グリップ４０２は、例えば、第４実施形態の縦位置グリップ３０２（図１１乃至図１３）と基本的に同様の構成とされている。
【００９７】
即ち、縦位置グリップ３０２（図１１乃至図１３）と同様に、縦位置グリップ４０２の筐体の正面には、縦位置用のレリーズボタン（図示せず。ただし、図１１のレリーズボタン３２２と同様のもの）が設けられており、図１４に示されるように、その筐体の内部には、燃料電池４１６を収納する電池室４１５が設けられている。
【００９８】
縦位置グリップ４０２にはまた、縦位置グリップ３０２（図１１乃至図１３）と同様に、カメラ３０１と接続する接続部（図示せず。ただし、図１１の位置決めピン３２４、三脚ねじ部３２５、および、フック３２６と同様のもの）が設けられており、これらの接続部によりカメラ３０１に対して着脱自在とされている。
【００９９】
ただし、図１４に示されるように、接続部により縦位置グリップ４０２とカメラ３０１が接続される場合、その接続面４１７が左方（カメラ３０１の正面３０１−１の方）に設けられ、空気穴４１１が配置される面４１８が右方（カメラ３０１の背面３０１−４の方）に設けられている。空気穴４１１と筐体の内部の間には、撥水シート４１３が設けられている。
【０１００】
このように、空気穴４１１は、第４実施形態の空気穴３２１（図１２）と同様に、接続部にカメラ３０１が接続された場合（接続面４１７と、カメラ３０１の底面３０１−３が接している状態の場合）、カメラ３０１の底面３０１−３と対向し、かつ、接しない面４１８に配置されるので、カメラ３０１から所定の距離だけ離間する（右方に隙間があく）。
【０１０１】
従って、縦位置グリップ４０２がカメラ３０１に接続された状態でも、空気穴４１１がカメラ３０１によって塞がれることはなく、電池室４１５に収納されている燃料電池４１６に酸素（空気）が確実に供給され、燃料電池は、十分な発電量を維持することが可能になる。
【０１０２】
なお、縦位置グリップ４０２には、さらに、その筺体の底面４１９（接続面４１７、および空気穴４１１が配置される面４１８と対向する面４１９）に、電池室４１５の内部の空間を筺体の外部に連通する空気穴４１２が設けられている。空気穴４１２と筐体の内部の間には、撥水シート４１４が設けられている。
【０１０３】
このように、縦位置グリップ４０２には、接続面（上面）４１７の近傍の面４１８に空気穴４１１が設けられるとともに、底面４１９にも空気穴４１２が設けられているので、電池室４１５内の空気と外気の循環を高めることが可能になる。
【０１０４】
また、燃料電池４１６が、例えば、メタノール燃料を使用し、二酸化炭素を排出するようなタイプである場合、比重の重い二酸化炭素が、空気穴４１２より筺体の外部に排気されるので、電池室４１５の底部に二酸化炭素が蓄積されるのを防止することが可能になる。
【０１０５】
以上説明したように、本発明の第５実施形態が適用される縦位置グリップ４０２には、燃料電池４１６を収容する電池室４１５（図１４）、カメラ３０１と接続する接続部（図示せず。ただし、図１１と図１３の位置決めピン３２４、三脚ねじ部３２５、および、フック３２６と同様のもの（第４実施形態と同様のもの））、並びに、筺体の面のうちの、その接続部（それが配置された接続面４１７）の近傍にある面４１８に配置される、電池室４１５の内部の空間を筺体の外部に連通する空気穴４１１（図１４）が設けられ、図１４に示されるように、その空気穴４１１が配置される面４１８は、接続部にカメラ３０１が接続された場合、カメラ３０１の底面３０１−３と対向し、かつ、接しない面とされる。換言すると、図１４に示されるように、空気穴４１１が配置される面４１８は、カメラ３０１に接続部を接続した状態において、カメラ３０１から所定の距離だけ離間している。
【０１０６】
これにより、縦位置グリップ４０２がカメラ３０１に接続された状態でも、空気穴４１１がカメラ３０１によって塞がれることはなく、電池室４１５に収納されている燃料電池４１６に酸素（空気）が確実に供給され、燃料電池４１６は、十分な発電量を維持することが可能になる。従って、縦位置グリップ４０２がカメラ３０１に接続された場合、燃料電池４１６から電源供給信号ピン（図示せず。ただし、図１３の電源供給信号ピン３５２と同様のもの）を介してカメラ３０１に電力が確実に供給されるので、図６に示される主制御部５１乃至フラッシュ部５９のそれぞれは、常に動作が可能になる。
【０１０７】
なお、縦位置グリップ４０２は、図１４のカメラ３０１のみならず、様々なカメラに接続可能である。
【０１０８】
（第６実施形態）
上述したように、第４および第５実施形態においては、縦位置グリップがカメラに接続された場合、縦位置グリップの筺体の所定の面に配置された空気穴が、カメラにより塞がれない工夫が、縦位置グリップの筺体に施されている。
【０１０９】
これに対して、第６実施形態においては、そのような工夫がカメラの筺体に施されている。
【０１１０】
図１５は、そのような本発明の第６実施形態が適用される電子機器としてのカメラに、縦位置グリップ（補助装置）が接続された場合の正面の外観の構成例を表している。
【０１１１】
図１６は、図１５のカメラ５０１のＡ−Ａ’部分の垂直断面を表している。
【０１１２】
図１５に示されるように、カメラ５０１の外観の構成は、上述した第３および第４実施形態のカメラ３０１（図１１）のそれと、基本的に同様の構成とされている。即ち、カメラ５０１の筐体の上面５０１−２には、レリーズボタン５１１が設けられており、その正面５０１−１には、鏡筒５１２が設けられている。
【０１１３】
また、カメラ５０１の筺体の内部の構成、および電気的な構成も、第３および第４実施形態のカメラ３０１のそれと基本的に同様の構成とされている。従って、それらの説明は省略する。
【０１１４】
カメラ５０１に接続される縦位置グリップ５０２の外観の構成も、上述した第４実施形態の縦位置グリップ３０２（図１１乃至図１３）のそれと基本的に同様であり、縦位置グリップ５０２には、図１５に示されるように、その筐体の上面５０２−２に、カメラ５０１と接続する接続部としての、位置決めピン５２４、三脚ねじ部５２５、および、フック５２６が設けられており、その正面５０２−１より突出した凸部の左端部に、縦位置用のレリーズボタン５２２が設けられている。
【０１１５】
縦位置グリップ５０２にはまた、図１６に示されるように、その筐体の内部に、燃料電池５３１を収納する電池室５２３、電池室５２３の内部の空間を筺体の外部に連通する空気穴５２１が設けられている。空気穴５２１と筐体の内部の間には、撥水シート５３３が設けられている。
【０１１６】
ただし、図１６に示されるように、空気穴５２１は、接続部（位置決めピン５２４、三脚ねじ部５２５、および、フック５２６（図１５））が配置されるのと同一の上面５０２−２に配置されており、例えば、カメラ５０１の代わりに、上述したカメラ３０１（図１２）に縦位置グリップ５０２が接続された場合、空気穴５２１はカメラ３０１により塞がれてしまう。
【０１１７】
従って、図１６に示されるように、カメラ５０１の筺体の底面５０１−３には、縦位置グリップ５０２が接続される場合に縦位置グリップ５０２の空気穴５２１と対向する面５４２より突出した凸部が形成され、その凸部の表面が、接続面５４１とされている。即ち、縦位置グリップ５０２の位置決めピン５２４、三脚ねじ部５２５、および、フック５２６（図１５）のそれぞれと接続する接続部が、接続面５４１に設けられている。
【０１１８】
以上説明したように、本発明の第６実施形態が適用されるカメラ５０１には、図１５と図１６に示されるように、燃料電池５３１を収容する電池室５２３と、電池室５２３の内部の空間をその筺体の外部に連通する空気穴５２１とを備える縦位置グリップ部５０２を接続する接続部（縦位置グリップ５０２の位置決めピン５２４、三脚ねじ部５２５、および、フック５２６（図１５）のそれぞれと接続する接続部）と、その接続部に縦位置グリップ５０２が接続される場合に空気穴５２１と対向する面５４２の近傍に配置される、面５４２より突出した凸部が設けられており、その凸部の表面５４１（接続面５４１）に接続部が配置されている。
【０１１９】
これにより、縦位置グリップ５０２がカメラ５０１に接続された状態でも、空気穴５２１がカメラ５０１によって塞がれることはなく、電池室５２３に収納されている燃料電池５３１に酸素（空気）が確実に供給され、燃料電池５３１は、十分な発電量を維持することが可能になる。従って、縦位置グリップ５０２がカメラ５０１に接続された場合、燃料電池５３１から電源供給信号ピン（図示せず。ただし、図１３の電源供給信号ピン３５２と同様のもの）を介してカメラ５０１に電力が確実に供給されるので、図６に示される主制御部５１乃至フラッシュ部５９のそれぞれは、常に動作が可能になる。
【０１２０】
なお、カメラ５０１は、図１６の縦位置グリップ５０２のみならず、燃料電池を収納する電池室と、その電池室の内部の空間を筺体の外部に連通する空気穴を有する様々な装置と接続可能である。
【０１２１】
（第７実施形態）
上述したように、第１乃至第３実施形態においては、カメラに燃料電池を収納する電池室が設けられている場合、その電池室の内部の空間を筺体の外部に連通する空気穴は、筺体の正面に設けられているので、その空気穴がユーザの手により塞がれない工夫が施されている。
【０１２２】
これに対して、第７実施形態においては、後述するように、電池室の内部の空間を筺体の外部に連通する空気穴が、筺体の底面に設けられているので、筺体の底面に他の装置が接続された場合、その空気穴が他の装置により塞がれない工夫が施されている。
【０１２３】
図１７は、そのような本発明の第７実施形態が適用される電子機器としてのカメラの正面の外観の構成例を表している。
【０１２４】
図１８は、図１７のカメラ６０１のＡ−Ａ’部分の垂直断面を表している。
【０１２５】
図１７に示されるように、カメラ６０１の筐体の上面６０１−３には、レリーズボタン６１１が設けられており、その正面６０１−１には、鏡筒６１２が設けられており、その底面６０１−３には、他の装置を接続する接続部（三脚座）６１４が設けられている。
【０１２６】
図１７の例では、カメラ６０１に対して、外付けのフラッシュ装置６０２が接続され、カメラ６０１とフラッシュ装置６０２が、フラッシュプロテクタ６０３により固定されている。即ち、カメラ６０１の接続部６１４に、フラッシュプロテクタ６０３が接続されている。なお、接続部６１４は、フラッシュプロテクタ６０３以外に、三脚等様々な他の装置を接続することが可能である。
【０１２７】
カメラ６０１の内部の構成は、例えば、第３実施形態のカメラ２０１（図１０）のそれと、基本的に同様とされるが、図１８に示されるように、燃料電池６２３を収納する電池室６１３の内部の空間を筺体の外部に連通する空気穴６２１が、筺体の正面６０１−１ではなく底面６０１−３に配置されている。
【０１２８】
カメラ６０１の筺体の底面６０１−３にはまた、空気穴６２１が配置される面６２６より突出した凸部が形成され、その凸部の表面６２５に上述した接続部６１４が配置される。即ち、接続部６１４が配置される面６２５が、カメラ６０１のフラッシュプロテクタ６０３とされる。
【０１２９】
カメラ６０１の筺体の底面６０１−３のうちの、空気穴６２１が配置される面６２６にはまた、接続部６２５にフラッシュプロテクタ６０３が接続された場合（フラッシュプロテクタ６０３と、カメラ６０１の接続面６２５が接している状態の場合）、フラッシュプロテクタ６０３から所定の距離だけ離間する（右方に隙間があく）ことを保持するための球状の凸部６２２が形成されている。
【０１３０】
なお、カメラ６０１の電気的な構成は、この例においては、例えば、第３実施形態のカメラ２０１（第１実施形態のカメラ１）のそれと同様とされる。即ち、図６は、カメラ６０１の電気的な構成例も表すブロック図である。
【０１３１】
以上説明したように、本発明の第７実施形態が適用されるカメラ６０１には、図１７と図１８に示されるように、燃料電池６２３を収容する電池室６１３、フラッシュプロテクタ６０３と接続する接続部６１４、および、筺体の面のうちの、接続部６１４（接続面６２５）の近傍にある面６２６に配置される、電池室６１３の内部の空間を筺体の外部に連通する空気穴６２１が設けられ、図１８に示されるように、空気穴６２１が配置される面６２６は、接続面６２５（接続部６１４（図１７））にフラッシュプロテクタ６０３が接続された場合、フラッシュプロテクタ６０３と対向し、かつ、接しない面とされている。換言すると、空気穴６２１が配置される面６２６は、フラッシュプロテクタ６０３を接続部６１４（接続面６２５）に接続した状態において、フラッシュプロテクタ６０３から所定の距離だけ離間している。
【０１３２】
これにより、フラッシュプロテクタ６０３がカメラ６０１に接続された状態でも、空気穴６２１がフラッシュプロテクタ６０３によって塞がれることはなく、電池室６１３に収納されている燃料電池６２３に酸素（空気）が確実に供給され、燃料電池６２３は、十分な発電量を維持することが可能になる。従って、図６に示される主制御部５１乃至フラッシュ部５９のそれぞれは、常に動作が可能になる。
【０１３３】
（第８実施形態）
図１９は、本発明の第８実施形態が適用される電子機器としてのカメラ、および、縦位置グリップ（カメラの補助装置）の正面中央の垂直断面の構成例を表している。
【０１３４】
カメラ７０１の構成（外観、筺体内部、および、電気的構成等）は、例えば、上述した第７実施形態のカメラ６０１のそれと基本的に同様とされている。即ち、図６は、カメラ７０１の電気的な構成例も表すブロック図である。
【０１３５】
ただし、燃料電池７１１を収納する電池室７１２の内部の空間を、撥水シート７１４を介して筺体の外部に連通する空気穴７１３と、接続部（図示せず。ただし、この例においては、例えば、図１７の接続部６１４ではなく、図１１の位置決めピン３２４、三脚ねじ部３２５、および、フック３２６を接続可能な接続部）はいずれも、筺体の底面７０１−３に配置されている（同一の面に配置されている）。
【０１３６】
縦位置グリップ７０２は、例えば、上述した第４実施形態の縦位置グリップ３０２（図１２）と同様の構成とされている。
【０１３７】
即ち、縦位置グリップ７０２には、縦位置グリップ３０２（図１１と図１２）と同様に、その筐体の正面に、縦位置用のレリーズボタン（図示せず。ただし、レリーズボタン３２２（図１１）と同様のもの）が設けられており、図１９に示されるように、その筐体の内部には、燃料電池７２１を収納する電池室７２２が設けられている。
【０１３８】
縦位置グリップ７０２にはまた、縦位置グリップ３０２（図１１と図１２）と同様に、カメラ７０１と接続する接続部（図示せず。ただし、位置決めピン３２４、三脚ねじ部３２５、および、フック３２６（図１１）と同様のもの）が、図１９の接続面７２４に設けられており、図１９に示されるように、その接続部とカメラ７０１が接続された場合に接続面７２４より下方に位置する面７２６に、電池室７２２の内部の空間を筺体の外部に連通する空気穴７２３が設けられている。空気穴７２３と筐体の内部の間には、撥水シート７２５が設けられている。
【０１３９】
以上説明したように、本発明の第８実施形態が適用されるカメラ７０１には、図１９に示されるように、第１の燃料電池７１１を収納する第１の電池室７１２、第１の電池室７１２の内部の空間をカメラ７０１の筺体の外部に連通する第１の空気穴７１３、並びに、第２の燃料電池７２１を収容する第２の電池室７２２、および、第２の電池室７２２の内部の空間を縦位置グリップ７０２の筺体の外部に連通する第２の空気穴７２３を有する縦位置グリップ７０２と、接続する接続部（図示せず。ただし、この例では、縦位置グリップ３０２（図１１）の位置決めピン３２４、三脚ねじ部３２５、および、フック３２６と接続可能なもの）が設けられており、第１の空気穴７１３が、その接続部に縦位置グリップ７０２が接続される場合に縦位置グリップ７０２と接しない位置であり、かつ、第２の空気穴７２３と対向する位置に配置されている。
【０１４０】
また、本発明の第８実施形態が適用される縦位置グリップ７０２には、図１９に示されるように、第２の燃料電池７２１を収容する第２の電池室７２２、接続面７２４に配置されるカメラ７０１と接続する接続部（図示せず。ただし、縦位置グリップ３０２（図１１）の位置決めピン３２４、三脚ねじ部３２５、および、フック３２６と同様のもの）、および、縦位置グリップ７０２の筺体の面のうちの、接続面７２４の近傍にある面７２６に配置される、第２の電池室７２２の内部の空間を縦位置グリップ７０２の筺体の外部に連通する第２の空気穴７２３が設けられており、第２の空気穴７２３が配置される面７２６は、接続部（接続面７２４）にカメラ７０１が接続された場合、カメラ７０１の底面７０１−３と対向し、かつ、接しない面である。
【０１４１】
換言すると、図１９に示されるように、縦位置グリップ７０２の第２の空気穴７２３が配置される面７２６は、カメラ７０１を接続部に接続した状態（カメラ７０１の底面７０１−３と縦位置グリップ７０２の接続面７２４が接した状態）において、カメラ７０１の底面７０１−３から所定の距離だけ離間している。
【０１４２】
これにより、縦位置グリップ７０２がカメラ７０１に接続された状態でも、カメラ７０１の第１の空気穴７１３と、縦位置グリップ７０２の第２の空気穴７２３のそれぞれは、他の装置（第１の空気穴７１３に対しては縦位置グリップ７０２であり、第２の空気穴７２３に対してはカメラ７０１である）によって塞がれることはなく、カメラ７０１の第１の電池室７１２に収納されている第１の燃料電池７１１、縦位置グリップ７０２の第２の電池室７２２に収納されている第２の燃料電池７２１のそれぞれに対して、酸素（空気）が確実に供給され、第１の燃料電池７１１、および第２の燃料電池７２１のそれぞれは、十分な発電量を維持することが可能になる。
【０１４３】
なお、本発明が適用される電子機器は、上述したカメラや、その補助装置に限定されず、燃料電池を電源とする電子機器であればよい。例えば、本発明は、携帯電話機や、ＰＤＡ（ｐｅｒｓｏｎａｌ  Ｄｉｇｉｔａｌ  Ａｓｓｉｓｔａｎｔｓ）に代表される携帯型情報処理端末等にも適用可能である。
【０１４４】
【発明の効果】
以上のごとく、本発明によれば、電子機器またはカメラの電源として燃料電池を利用可能にすることができる。特に、燃料電池が発電するために必要な酸素を、燃料電池に確実に供給することができる。
【図面の簡単な説明】
【図１】本発明が適用されるカメラの外観の構成例を示す正面図である。
【図２】図１のカメラの外観の構成例を示す下面図である。
【図３】図１の正面図のうちの、空気穴と空気穴ガードが配置された周辺の拡大図である。
【図４】図１のカメラのＡ−Ａ’部分の水平断面図のうちの、空気穴と空気穴ガードが配置された周辺の拡大図である。
【図５】図１のカメラのＡ−Ａ’部分の水平断面図である。
【図６】図１のカメラの電気的な構成例を示すブロック図である。
【図７】本発明が適用されるカメラの外観の他の構成例を示す正面図である。
【図８】図７のカメラの外観の構成例を示す下面図である。
【図９】本発明が適用されるカメラの外観の他の構成例を示す正面図である。
【図１０】図９のカメラのＡ−Ａ’部分の垂直断面図である。
【図１１】本発明が適用されるカメラの補助装置が、カメラに接続された場合の外観の構成例を示す正面図である。
【図１２】図１１のカメラの補助装置のＡ−Ａ’部分の垂直断面図である。
【図１３】図１１のカメラの補助装置の外観の構成例を示す上面図である。
【図１４】本発明が適用される他の例のカメラの補助装置がカメラに接続された場合の、カメラの補助装置の筺体の正面中央部分の垂直断面図である。
【図１５】本発明が適用されるカメラに、その補助装置が接続された場合の外観の他の構成例を示す正面図である。
【図１６】図１５のカメラの補助装置のＡ−Ａ’部分の垂直断面図である。
【図１７】本発明が適用されるカメラの外観の他の構成例を示す正面図である。
【図１８】図１７のカメラの補助装置のＡ−Ａ’部分の垂直断面図である。
【図１９】本発明が適用される他の例のカメラと、その補助装置が接続された場合の、カメラの筺体の正面中央部分の垂直断面図である。
【符号の説明】
１  カメラ
１−１  筺体の正面
１−５  筺体の底面
１４  鏡筒
１５  空気穴
１６  空気穴ガード
１８  電池室
３１  燃料電池
１０１  カメラ
１０１−１  筺体の正面
１１４  鏡筒
１１５  空気穴
１１６  グリップ部
２０１  カメラ
２０１−１  筺体の正面
２０１−３  筺体の底面
２１２  鏡筒
２１３  空気穴
２１４  電池室
２１５  グリップ部
２２８  燃料電池
３０１  カメラ
３０１−１  筺体の正面
３０１−３  筺体の底面
３０２  縦位置グリップ
３１２  鏡筒
３２１  空気穴
３２３  電池室
３２４  位置決めピン
３２５  三脚ねじ部
３２６  フック
３４１  燃料電池
３４２  接続面
３４４  空気穴の配置面
４１１  空気穴
４１５  電池室
４１６  燃料電池
４１７  接続面
４１８  空気穴の配置面
５０１  カメラ
５０１−１  筺体の正面
５０１−３  筺体の底面
５０２  縦位置グリップ
５１２  鏡筒
５２１  空気穴
５２３  電池室
５２４  位置決めピン
５２５  三脚ねじ部
５２６  フック
５３１  燃料電池
５４１  接続面
５４２  接続グリップの空気穴と対向する面
６０１  カメラ
６０１−１  筺体の正面
６０１−３  筺体の底面
６０３  フラッシュプロテクタ
６１２  鏡筒
６１３  電池室
６１４  接続部
６２３  燃料電池
６２５  接続面
６２６  空気穴の配置面
７０１  カメラ
７０１−１  筺体の正面
７０１−３  筺体の底面
７０２  縦位置グリップ
７１１  第１の燃料電池
７１２  第１の電池室
７１３  第１の空気穴
７２１  第２の燃料電池
７２２  第２の電池室
７２３  第２の空気穴
７２４  接続面
７２６  第２の空気穴の配置面
【図１】
2005017327.tif 000003
【図２】
2005017327.tif 000004
【図３】
2005017327.tif 000005
【図４】
2005017327.tif 000006
【図５】
2005017327.tif 000007
【図６】
2005017327.tif 000008
【図７】
2005017327.tif 000009
【図８】
2005017327.tif 000010
【図９】
2005017327.tif 000011
【図１０】
2005017327.tif 000012
【図１１】
2005017327.tif 000013
【図１２】
2005017327.tif 000014
【図１３】
2005017327.tif 000015
【図１４】
2005017327.tif 000016
【図１５】
2005017327.tif 000017
【図１６】
2005017327.tif 000018
【図１７】
2005017327.tif 000019
【図１８】
2005017327.tif 000020
【図１９】
2005017327.tif 000021